(57)【要約】【課題】防曇機能を有すると共に、ガラス板の任意の位置に映像を表示することができ、映像映写中は映像以外の部分が透明であり、映像を表示しない時は全体が透明であるＥＬディスプレイ内蔵透明導電膜ガラス板を提供する。【解決手段】給電されることによって発熱しガラス面の結露、結氷を防止する機能を有する透明導電膜ガラス板と、任意の位置に任意の大きさの映像を映写する映像ディスプレイ機能を備えた透明ＥＬディスプレイ手段と、保護ガラス板と、透明導電膜ガラス板及び透明ＥＬディスプレイ手段を制御する制御部材と、を有し、前記透明導電膜ガラス板は、ガラス板の一側の全面に、酸化錫を主成分とする均一な厚さの透明導電膜が形成されたことを特徴とする。 【選択図】  図１
2014220192.tif 000002
【特許請求の範囲】
【請求項１】
ガラス板の一方の全面に透明導電膜が付着され、給電されることにより前記透明導電膜が発熱してガラス面の結露、結氷を防止する透明導電膜ガラス板と、
前記透明導電膜に付着して一体に透明に形成され、送信されてきた映像データに対応して内蔵するＥＬ素子を発光させて、任意の位置に任意の大きさの映像を映し出す透明ＥＬディスプレイ手段と、
前記透明ＥＬディスプレイ手段の、前記透明導電膜ガラス板と対向する面に一体に形成された保護ガラス板と、
前記透明導電膜ガラス板及び透明ＥＬディスプレイ手段それぞれに電気的に連結され、前記透明導電膜ガラス板及び透明ＥＬディスプレイ手段を制御する制御部材と、
を有し、
映像映写中は映像以外の部分が透明であり、映像を映写しないときは全体が透明であることを特徴とするＥＬディスプレイ内蔵透明導電膜ガラス板。
【請求項２】
前記透明導電膜は、ガラス板の一側の全面に均一な厚さに形成された酸化錫を主成分とする透明半導体の薄膜であることを特徴とする請求項１に記載のＥＬディスプレイ内蔵透明導電膜ガラス板。
【請求項３】
前記透明ＥＬディスプレイ手段は、透明なＥＬ素子及び透明な電気回路を含んで形成された透明ＥＬディスプレイを、２以上の透明絶縁薄膜に封入又は挟着して形成されたことを特徴とする請求項１に記載のＥＬディスプレイ内蔵透明導電膜ガラス板。
【請求項４】
前記透明導電膜は、対向する上下又は左右の何れかの側端部の全長に亘って電極が形成され、前記電極を通じて前記透明導電膜に給電されて発熱することを特徴とする請求項１に記載のＥＬディスプレイ内蔵透明導電膜ガラス板。
【請求項５】
前記電極は、銀ペーストを５８０〜６８０℃に焼き付けて形成されたことを特徴とする請求項４に記載のＥＬディスプレイ内蔵透明導電膜ガラス板。
【請求項６】
前記透明ＥＬディスプレイが、前記透明導電膜ガラス板の全面に設けられたことを特徴とする請求項１に記載のＥＬディスプレイ内蔵透明導電膜ガラス板。
【請求項７】
前記透明ＥＬディスプレイ手段が前記透明導電膜ガラス板の一部分に設けられたことを特徴とする請求項１に記載のＥＬディスプレイ内蔵透明導電膜ガラス板。
【請求項８】
前記透明ＥＬディスプレイ手段は、テレビ及びビデオの映像を表示可能であるように配備されたことを特徴とする請求項１に記載のＥＬディスプレイ内蔵透明導電膜ガラス板。
【請求項９】
前記２以上の透明絶縁薄膜の中の１以上が、前記映像の背面を遮光する遮光手段を有することを特徴とする請求項３に記載のＥＬディスプレイ内蔵透明導電膜ガラス板。
【請求項１０】
更に、振動スピーカーを備え、音響機能を有することを特徴とする請求項１に記載のＥＬディスプレイ内蔵透明導電膜ガラス板。
【発明の詳細な説明】
【技術分野】
【０００１】
本発明は、ＥＬディスプレイ内蔵透明導電膜ガラス板に係り、より詳しくは、透明導電膜ガラスを内蔵し、給電され発熱して防曇する防雲機能と、透明なＥＬ素子及び透明な電気回路を内蔵して任意の位置に映像を映写する透明ＥＬディスプレイ機能と、を備え、映像を映写しないときは全体が透明であるＥＬディスプレイ内蔵透明導電膜ガラス板に関する。
【背景技術】
【０００２】
建築材料としてのガラスは、透明であるという優れた特徴を有し、近年、建築材料としての用途が拡大しつつある。しかしガラスの両面に温度差がある場合、結露、結氷して透明性を失うという重大な弱点があり、この弱点のため、ガラスの建築材料としての用途が大きく制限されていた。
【０００３】
ガラスに結露、結氷するのを防止するためには、透明導電膜ガラスを用いてガラスを加温すればよいことは知られていた。透明導電膜ガラスは、絶縁体であるガラスの表面に透明半導体の薄膜を形成して導電性を付与したガラスであって、透明であるにもかかわらず電気を通す性質を有している。透明導電膜ガラスは、比較的大きな電気抵抗を有し、通電すると発熱して結露、結氷を防止する。この性質を利用して、例えば自動車の窓ガラスの曇り止め（例えば特許文献１を参照）や、寒冷地の交通標識などに使われている。
【０００４】
透明導電膜ガラスとしては、酸化インジウムを基体とする半導体セラミックス（ＩＴＯ、スズドープ酸化インジウム）をガラスの表面に形成したものが広く知られ、パソコン、テレビ、携帯電話などのディスプレイにも用いられている。しかし、インジウムはレアアースであって非常に高価であると共に資源の枯渇が懸念されており、建築資材に実用できるものではない。また、ＩＴＯは湿気及び高温に対して不安定であるという問題点も有している。
【０００５】
また、透明導電膜としてＦＴＯ（フッ素化酸化錫）を用いた透明導電膜ガラスがある。しかし、ＦＴＯは緑色系統の着色があって透明性が劣り、しかも電気抵抗が大きい。従って、充分な発熱量を得るために必要な電流を流すためには透明導電膜を厚くしなければならなず、膜を厚くすると更に透明性が悪くなるので実用的ではない。
【０００６】
ＥＬ発光物質は多くが透明なので、電極、薄膜トランジスタなどの電気回路を透明導電体で形成すれば、透明なＥＬディスプレイを製造することができる（例えば特許文献２を参照）。
また、背面からの光線を遮りコントラストを確保するために、背面に遮光機能を備えた透明ＥＬディスプレイが開示されている（例えば特許文献３を参照）。
建築用の材料として、空調された室内と外気とを隔てるガラス製の仕切り板であって、任意の位置に任意の大きさの映像を映写可能であって、防曇機能のあるガラス板が必要とされていた。
【先行技術文献】
【特許文献】
【０００７】
【特許文献１】特開２００２−２０１４２号公報
【特許文献２】特開２００３−３３７５５６号公報
【特許文献３】特開２００５−２２７６８８号公報
【発明の概要】
【発明が解決しようとする課題】
【０００８】
本発明は、かかる課題を解決するためになされたものであって、本発明の目的は、防曇機能を有すると共に、ガラス板の任意の位置に映像を表示することができ、映像映写中は映像以外の部分が透明であり、映像を表示しない時は全体が透明であるＥＬディスプレイ内蔵透明導電膜ガラス板を提供することにある。
【課題を解決するための手段】
【０００９】
かかる課題を解決するための本発明のＥＬディスプレイ内蔵透明導電膜ガラス板は、ガラス板の一方の全面に透明導電膜が付着され、給電されることにより透明導電膜が発熱してガラス面の結露、結氷を防止する透明導電膜ガラス板と、透明導電膜に付着して一体に透明に形成され、送信されてきた映像データに対応して内蔵するＥＬ素子を発光させて、任意の位置に任意の大きさの映像を映し出す透明ＥＬディスプレイ手段と、透明ＥＬディスプレイ手段の、透明導電膜ガラス板と対向する面に一体に形成された保護ガラス板と、透明導電膜ガラス板及び透明ＥＬディスプレイ手段それぞれに電気的に連結され、透明導電膜ガラス板及び透明ＥＬディスプレイ手段を制御する制御部材と、を有し、
映像映写中は映像以外の部分が透明であり、映像を映写しないときは全体が透明であることを特徴とする。
【００１０】
また、前記透明導電膜は、ガラス板の一側の全面に均一な厚さに形成された酸化錫を主成分とする透明半導体の薄膜であることを特徴とする。
また、前記透明ＥＬディスプレイ手段は、透明なＥＬ素子及び透明な電気回路を含んで形成された透明ＥＬディスプレイを、２以上の透明絶縁薄膜に封入又は挟着して形成されたことを特徴とする。
【００１１】
また、前記透明導電膜は、対向する上下又は左右の何れかの側端部の全長に亘って電極が形成され、電極を通じて透明導電膜に給電されて発熱することを特徴とする。
また、前記電極は、銀ペーストを５８０〜６８０℃に焼き付けて形成されたことを特徴とする。
【００１２】
また、前記透明ＥＬディスプレイが、透明導電膜ガラス板の全面に設けられたことを特徴とする。
また、前記透明ＥＬディスプレイが透明導電膜ガラス板の一部分に設けられたことを特徴とする。
【００１３】
本発明は、ＥＬディスプレイ手段が、テレビ及びビデオの映像を表示可能であるように配備されたことを特徴とする。
また本発明は、２以上の透明絶縁薄膜の中の１以上が、映像の背面を遮光する遮光手段を有することを特徴とする。
また本発明のＥＬディスプレイ内蔵透明導電膜ガラス板板は、更に、振動スピーカーを備え、音響機能を有することを特徴とする。
【発明の効果】
【００１４】
本発明は、透明導電膜ガラス板を有し、透明導電膜に給電されることによって発熱してガラス面の結露又は結氷を防ぐ防曇機能を有すると共に、透明導電膜に付着して一体に形成された透明ＥＬディスプレイ手段を有し、任意の位置に任意の大きさの映像を映写する機能を備え、映像映写中は映像以外の部分が透明であり、映像を映写しないときは全体が透明であるＥＬディスプレイ内蔵透明導電膜ガラス板を提供する。
【００１５】
本発明のＥＬディスプレイ内蔵透明導電膜ガラス板は、基本的に透明であって、任意の位置に任意の大きさの映像を映写する機能を備えるので美しさと機能性を兼備し、また防曇機能を備えるので、両面の温度が違って結露、結氷が生じるためにガラスが使用できなかった場所、例えばショウルーム、商店の外壁、理髪室や美容室の外壁、浴室の仕切り壁などに使用できる。
【００１６】
本発明の透明導電膜ガラス板は、酸化錫を基材とする透明導電膜を用いることによって、ＩＴＯ導電膜を用いるより安価に製造することができ、レアアースであるインジュームの資源枯渇問題も引き起こさない。
【図面の簡単な説明】
【００１７】
【図１】本発明のＥＬディスプレイ内蔵透明導電膜ガラス板の外観を示す斜視図である。
【図２】本発明のＥＬディスプレイ内蔵透明導電膜ガラス板の構造を示す部分斜視図である。
【図３】本発明の透明導電膜ガラス板の模式斜視図である。
【図４】本発明のＥＬディスプレイ内蔵透明導電膜ガラス板を浴室と居室の仕切り壁に用いた実施例を示す図であり、（ａ）は映像を映写していない時の図であり、（ｂ）は映像映写中の図である。
【発明を実施するための形態】
【００１８】
以下に、添付図面を参照しながら、本発明のＥＬディスプレイ内蔵透明導電膜ガラス板を詳細に説明する。
図１は、本発明のＥＬディスプレイ内蔵透明導電膜ガラス板の外観を示す斜視図である。
図１に示すように、本発明のＥＬディスプレイ内蔵透明導電膜ガラス板１は、透明導電膜ガラス板１０と、透明ＥＬディスプレイ手段２０と、保護ガラス板３０と、制御手段４０と、を含んで構成される。
透明ＥＬディスプレイ手段２０は、任意の位置に任意の大きさで映像２を映写することができ、更に震動スピーカー３を備え、音響を出力することができる。
【００１９】
図２は本発明のＥＬディスプレイ内蔵透明導電膜ガラス板の構造を示す部分斜視図である。
図２に示すように、本発明の透明導電膜ガラス板１０は、ガラス板１１と、その一方の全面に形成された透明導電膜１２を有し、透明導電膜１２に給電されることによって発熱し、結露、結氷を防ぐ防曇機能を有する。
透明導電膜１１は、透明導電膜ガラス板１０の全面を均一な温度に加熱するためには、均一な厚さで形成されることが好ましい。
【００２０】
本発明に用いる透明導電膜ガラス板１０は透明性が高いことが好ましい。この目的のためには、透明導電膜ガラス板１０の可視光透過度が７０％以上であることが好ましい。可視光透過度が７０％未満では、中間に透明導電膜ガラス板１０があることが判然と分かるので好ましくない。より好ましくは可視光透過度が８０％以上である。可視光透過度が８０％以上であれば、透明導電膜ガラス板は気にならない。最も好ましくは、可視光透過度が８５％以上である。可視光透過度が８５％以上であれば、透明導電膜ガラス板１０は全く気にならなくなる。
【００２１】
透明導電膜１１は、酸化錫を主成分とすることが好ましい。酸化錫は、酸化イリジウムより安価であって、経済的であり、レアメタルであるイリジウムの資源枯渇問題も引き起こさないという特徴を有する。
【００２２】
酸化錫を基材とする透明半導体セラミックスとしてはＦＴＯ（フッ素化酸化錫）が知られているが、ＦＴＯは、緑色系統の着色があり、また電気抵抗が大きく充分な発熱量を得るためには膜を厚くしなければならないため透明性が悪くなるので、本発明の目的には好ましくない。
本発明で支障なく建築材料として用いることができる透明導電膜ガラスとして、株式会社モノハ（東京都渋谷区）のウォームガラス（登録商標）を例示することができる。
【００２３】
図３は、本発明の透明導電膜ガラス板の模式斜視図である。
図３に示すように、透明導電膜１２は、対向する上下又は左右の何れかの側端部の全長に亘って電極が形成され、前記電極を通じて前記透明導電膜に給電されて発熱することが好ましい。透明導電膜１２を均一に形成し、電極１３を透明導電膜１２の両側端部の全長にわたって形成することによって、透明導電膜ガラス板１０の全面を均一な温度に加熱することができる。
【００２４】
電極１３は、透明導電膜１２に通電できるものであれば、何れの電極であっても支障がないが、好ましい例として、銀ペーストを６３０±５０℃で焼き付けて形成された電極を挙げることができる。このように形成された電極１３は、接点１４を容易に設けることができ、送電部材との接続が容易であってしかも耐久性に優れている。
【００２５】
図２に示すように、透明ＥＬディスプレイ手段２０は、透明導電膜ガラス板１０の透明導電膜が形成された側の面に一体に形成され、ディスプレイウインドウ機能を有して、図１に示すように、映像２を透明導電膜ガラス板１０任意の位置に任意の大きさの映像を映写することができる。
【００２６】
透明ディスプレイ手段２０は、無色透明なＥＬ素子と無色透明な駆動回路とを含んで形成された透明ＥＬディスプレイ２１を、２以上の透明絶縁薄膜２２、２３に封入又は挟着して形成されることが好ましい。また透明絶縁薄膜２２、２３の中の何れか１は、透明ＥＬディスプレイ２１の基板であることができる。
透明絶縁薄膜２２、２３は、透明な、絶縁性を有するセラミックスまたは高分子樹脂であることが好ましい。
【００２７】
ＥＬディスプレイは、例えばアクティブ・マトリックス駆動方式によれば、ＥＬ素子、ＥＬ素子を挟んで発光させる第１電極と第２電極と薄膜トランジスタ、電気回路、及びそれらを絶縁する絶縁膜を含んで形成され、それ等の材料を透明材料で形成すれば、透明ＥＬディスプレイを製造することができる。
【００２８】
ＥＬディスプレイ２１は、発光材料（有機低分子材料又は有機高分子材料、若しくは無機材料）、駆動方式（アクティブ・マトリックス又はパッシブ・マトリックス）、及びカラー化方式（３色方式、色変換方式、カラーフィルタ方式）など種々の方式が公知である。本発明のＥＬディスプレイは、透明であって、本発明で使用可能な方式であればいずれの方式でも使用できる。それ等は何れも公知であるので、詳細な記載は省略する。
【００２９】
本発明のＥＬディスプレイ内蔵透明導電膜ガラス板１は、透明ＥＬディスプレイ手段２０を全面に設けることができる。これによって映像２を所望の位置に所望の大きさで設けることができる。
また本発明のＥＬディスプレイ内蔵透明導電膜ガラス板は、透明ＥＬディスプレイ手段２０を一部分だけに設けることができる。不必要な部分の透明ＥＬディスプレイ手段２０を削減することによってコストダウンすることができる。
【００３０】
本発明の透明ＥＬディスプレイ２１は、所望によって２以上の透明絶縁薄膜２２、２３の中の何れか１以上に、文様、絵柄、宣伝、又はスリガラス様半透明画像等、任意の画像を設けることができる。
また本発明の透明ＥＬディスプレイ手段２０は、２以上の透明絶縁薄膜２２、２３の中の何れか１以上に、映像２の背面に図示しない遮光手段を設けることができる。遮光手段を設けることによって、映像２にコントラストを確保することができる。
【００３１】
図２に示すように、本発明の保護ガラス板３０は、前記透明ＥＬディスプレイ手段２０の透明導電膜１２が形成された面と対向する面に一体に形成され、透明ＥＬディスプレイ手段２０を保護する。
【００３２】
図１に示すように、本発明の制御手段４０は、制御装置４１と、透明導電膜ガラス板１０と電気的に連結する透明導電膜ガラス板配線４２と、透明ＥＬディスプレイ手段２０と電気的に連結する透明ＥＬディスプレイ配線４３と、入力手段４４と、１以上の温度センサー（図示しない）と、を有することができる。
【００３３】
制御装置４１は、温度センサーからの情報及び／又は使用者からの入力、及び予め保存されたプログラムに従って、透明導電膜ガラス板配線４２を経由して透明導電膜ガラス板１０への電力の供給を断続すると共に、給電量を制御し、発熱部材の温度及び発熱量を制御するように設定することができる。
【００３４】
また制御装置４１は、図示しない映像装置と透明ＥＬディスプレイ回路を介して連結され、使用者からの入力及び／又は送信されてきたデータに対応して、透明ＥＬディスプレイ手段２０のへの電力の供給を断続すると共に、透明ＥＬディスプレイ手段２０を制御する。
透明ＥＬディスプレイ手段２０は、テレビ及びビデオの映像を表示可能であるように配備されることが好ましい。
【００３５】
入力手段４４は、使用者が、透明導電膜ガラス板１０へ給電する電力の断続、及び加熱温度やタイムスケジュール等を選択し、指令できることが好ましい。
また入力手段４４は、透明ＥＬディスプレイ手段２０及び震動スピーカー３の制御項目の入力手段であることができる。
入力手段４４は、タッチパネルであることができる。
【産業上の利用可能性】
【００３６】
ＥＬディスプレイ内蔵透明導電膜ガラス板１は、内部が温度調整された商業施設、例えばコンビニエンスストア、理容室、美容院等の外壁に用い、宣伝を映写して宣伝効果を挙げることができる。
【００３７】
図４は、本発明のＥＬディスプレイ内蔵透明導電膜ガラス板１を浴室と居室の仕切り壁に用いた実施例を示す図であり、（ａ）は映像２を映写していない時の図であり、（ｂ）は映像映写中の図である。
図４（ａ）に示すように、映像２を映写していない時は、ＥＬディスプレイ内蔵透明導電膜ガラス板１２は全体が透明であり、図４（ｂ）に示すように、映像２を映写している時は、映像２以外の部分が透明である。
【００３８】
入浴そのものを楽しむための新しい機能として、浴室４とその他の居住部分５との仕切り壁を透明なガラスにして、入浴の快適感を日常生活に取り込もうとする動きが出てきた。入浴者は浴槽６に入浴しながらＥＬディスプレイ内蔵透明導電膜ガラス板に設けられた映像２によって、テレビまたはビデオを、震動スピーカー３から立体音響を聞きながら楽しむことができるという効果がある。
【００３９】
以上、本発明に関する好ましい実施形態を説明したが、本発明は前記実施形態に限定されず、本発明の属する技術範囲を逸脱しない範囲での全ての変更が含まれる。
【符号の説明】
【００４０】
１    ＥＬディスプレイ内蔵透明導電膜ガラス板
２    映像
３    振動スピーカー
４    浴室
５    居室
６    浴槽
１０    透明導電膜ガラス板
１１    ガラス板
１２    透明導電膜
１３    電極
１４    接点
２０    透明ＥＬディスプレイ手段
２１    透明ＥＬディスプレイ
２２、２３    透明絶縁薄膜
３０    保護ガラス板
４０    制御手段
４１    制御装置
４２    透明導電膜ガラス板配線
４３    透明ＥＬディスプレイ配線
４４    入力手段
【図１】
2014220192.tif 000003
【図２】
2014220192.tif 000004
【図３】
2014220192.tif 000005
【図４】
2014220192.tif 000006